(57)【要約】【課題】除草器具を前後、左右、円弧状等に動かした場合であっても、雑草を根から引き抜くことができる除草器具を提供する。【解決手段】  板状部３と、把持部５と、該板状部３と該把持部５を連結する支持部とよりなる除草器具１において、該板状部３は略平板状であって、該把持部５と該板状部３とは、該板状部３を地面に接地した際に把持部５が上方に傾斜するように支持部７により連結され、該板状部３の前端縁１１は、該把持部５と反対の方に膨らむ略円弧状に形成し、該板状部３の後端縁１３ａ、１３ｂは、略直線状又は円弧状に形成し、該前端縁１１及び該後端縁１３ａ、１３ｂには複数の凸状体１５ａ、１５ｂ、１５ｃを備える【選択図】図１
2020068655.tif 000002
【特許請求の範囲】
【請求項１】
板状部と、把持部と、該板状部と該把持部とを連結する支持部とよりなる除草器具において、
該板状部は略平板状であって、
該把持部と該板状部とは、該板状部を地面に接地した際に把持部が上方に傾斜するように支持部により連結され、
該板状部の前端縁は、該把持部と反対の方に膨らむ略円弧状に形成し、
該板状部の後端縁は、略直線状又は円弧状に形成し、
該前端縁及び該後端縁には複数の凸状体を備えることを特徴とする除草器具。
【請求項２】
前記板状部は、前記前端縁及び前記後端縁と交差する側端縁を有し、
該側端縁は複数の凸状体を備えることを特徴とする請求項１記載の除草器具。
【請求項３】
前記板状部は、前記前端縁及び前記後端縁と交差する側端縁を有し、
該側端縁は該側端縁から離れるように熊手状に延伸させた複数の突出部を備え、
該突出部の先端を略半円状又は略反楕円状であることを特徴とする請求項１記載の除草器具。
【請求項４】
前記板状部の接地面側であって前記支持部の近傍に除草板を備え、
該板状部と該除草板との間には間隙を有し
該除草板の外周は凸状体を有する、
こと特徴とする請求項１ないし請求項３記載の除草器具。
【請求項５】
前記板状部は、前記前端縁及び前記後端縁と交差する側端縁を有し、
該板状部の接地面側であって前記支持部の近傍に除草板を備え、
該板状部と該除草板との間には間隙を有し
該除草板は該板状体の側端縁から離れるように熊手状に延伸させた複数の突出部を備え、
該除草板の該突出部を備えない外周には凸状体を有する
こと特徴とする請求項１又は請求項２記載の除草器具。
【発明の詳細な説明】
【技術分野】
【０００１】
本発明は、公園、庭、花壇、植え込みなどの雑草を取るための除草器具に関する。
【背景技術】
【０００２】
公園、庭、花壇、植え込みなどの雑草は、根ごと引き抜くことが必要である。根ごと引き抜くことを目的とした除草器具として、特許文献１は、把持部と、この把持部にその基部が固着された刃部とを有する除草器具において、除草方向に対して鈍角方向に後方側に開口している複数の凸凹部を刃部の側部に設けるなどした除草器具を開示した。
【０００３】
しかしながら、上記除草器具は、該除草器具を手前に引く場合にのみ草を抜くことができるという問題点がある。
【先行技術文献】
【特許文献】
【０００４】
【特許文献１】特開２００７−１３５５０８号公報
【発明の概要】
【発明が解決しようとする課題】
【０００５】
本発明は、除草器具を前後、左右、円弧状等に動かした場合であっても、雑草を根から引き抜くことができる除草器具を提供する。
【課題を解決するための手段】
【０００６】
上記課題を解決する本発明は次の内容のものである。
【０００７】
板状部と、把持部と、該板状部と該把持部を連結する支持部とよりなる除草器具において、
該板状部は略平板状であって、
該把持部と該板状部とは、該板状部を地面に接地した際に把持部が上方に傾斜するように支持部により連結され、
該板状部の前端縁は、該把持部と反対の方に膨らむ略円弧状に形成し、
該板状部の後端縁は、略直線状又は円弧状に形成し、
該前端縁及び該後端縁には複数の凸状体を備えている。
【０００８】
前記板状部は、前記前端縁及び前記後端縁と交差する側端縁を有し、
該側端縁には複数の凸状体を備える。
【０００９】
前記板状部は、前記前端縁及び前記後端縁と交差する側端縁を有し、
該側端縁は該側端縁から離れるように熊手状に延伸させた複数の突出部を備え、
該突出部の先端を略半円状又は略半楕円状である。
【００１０】
前記板状部の接地面側であって前記支持部の近傍に除草板を備え、
該板状部と該除草板との間には間隙を有し
該除草板の外周は凸状体を有する。
【００１１】
前記板状部は、前記前端縁及び前記後端縁と交差する側端縁を有し、
該板状部の接地面側であって前記支持部の近傍に除草板を備え、
該板状部と該除草板との間には間隙を有し
該除草板は該板状体の側端縁から離れるように熊手状に延伸させた複数の突出部を備え、
該除草板の該突出部を備えない外周には凸状体を有する。
【発明の効果】
【００１２】
本発明の除草器具は、該除草器具の刃部を前後、左右、円弧状などの方向に動かした場合であっても除草できる。
【００１３】
本発明の除草器具は、椅子や車いすに座ったままでも除草作業をすることができる。
【図面の簡単な説明】
【００１４】
【図１】本発明の除草器具の一例を示す斜視図である。
【図２】本発明の除草器具の一例を示す平面図である。
【図３】本発明の除草器具の一例を示す左側面図である。
【図４】本発明の除草器具の板状部の別の一例を示す平面図である。
【図５】本発明の除草器具の板状部に側端部を備えさせた一例を示す平面図である。
【図６】本発明の除草器具の板状部の側端縁に突出部を備えさせた一例を示す平面図である。
【図７】本発明の除草器具の板状部の下面に除草板を備えさせた一例を示す底面図である。
【図８】図７のVIII−VIII拡大端面図である。
【図９】本発明の除草器具の除草板に突出部を備えた一例を示す底面図である。
【発明を実施するための形態】
【００１５】
以下、本発明の実施の形態の例について図を参照しながら説明する。尚、本発明は、以下の形態の例に限定されるものではない。
【００１６】
図１〜３に示すように、本発明の除草器具１は、板状部３と、把持部５と、板状部３と把持部５とを連結する支持部７とよりなる。該板状部３は略平板状である。把持部５と板状部３とは、該板状部３を地面に接地した際に把持部５が上方に傾斜するように支持部７により連結されている。該支持部７の一端１７と該把持部５との固定手段２３は特に限定はなく、通常の除草器具や鎌等において用いられる手段を用いることができる。一例として、該支持部３の一端１７を把持部５に設けた間隙に挿入し、該支持部７と把持部５とを貫通するボルト等で固定するなどが挙げられる。
【００１７】
該支持部７の他端１９と該板状部３とを固着する手段は、特に限定はなく、一例として溶接、ボルト等による固着などが挙げられる。また、該支持部7と該板状部３とは一体に形成してもよい。
【００１８】
図３に示すように、該把持部５は、該板状部３を地面に接地した際の接地面３５に対して傾斜している。除草器具１は把持部５を長くすることにより、椅子や車いすなどに座ったまま使用することができる。把持部５の軸線２５と接地面３５との間の角度Ｄは、除草器具を使用する際に、板状部３を地面に接地させることができる角度であればよく、一例として約１０度〜約８５度とする。角度Ｄは、除草器具１をしゃがんだ姿勢や膝をついた姿勢等で使用する場合は、約１０度〜約４０度が好ましく、椅子や車いすなどに座ったまま使用する場合は、椅子の高さに応じて、約２０度〜約８０度が好ましい。
【００１９】
該板状部３の材質は、特に限定はなく、一般的に鎌や鍬などの除草器具に用いられるものであればよく、例えば、鉄、ステンレス等が挙げられる。
【００２０】
該板状部３の前端縁１１は、該把持部５の軸線２５に対して交差し、該把持部５と反対の方に膨らむ略円弧状に形成すればよく、例えば、図４のように軸線２５を対象軸として左右対称としてもよい。
【００２１】
該板状部３の後端縁１３には支持部７が固定されることから、後端縁１３は支持部５により後端縁１３ａと後端縁１３ｂとに分けられる。例えば、該後端縁１３ａは、該把持部５の軸線と平行な線２７ａに対して交差し、該把持部５と反対の方に膨らむ円弧状に形成し、後端縁１３ｂは、該把持部５の軸線と平行な線２７ｂに対して交差し、該把持部５と反対の方に膨らむ円弧状に形成する（図２参照）。他の例としては、図４のように後端縁１３ａ及び後端縁１３ｂの一方又は両方の形状を略直線にしてもよい。また、後端縁１３ａと後端縁１３ｂの形状は、同一でもよいし、異なるものでもよい。
【００２２】
例えば、図４に示すように、後端縁１３が略直線状の場合、後端縁１３の延長線２９と把持部５の軸線２５との角度Ｃは、一例として約６０度〜約１２０度とする。別の例として、図２に示すように、支持部７を板状部３の略中央より離れた位置に固着した場合、後端縁１３ａは後端縁１３ｂより長くなる。このような場合は、後端縁１３ａの接線３１ａと軸線２５との角度Ａは、好ましく約７５度〜約９０度とし、更に好ましくは約６０度〜約９０度とする。後端縁１３ｂの接線３１ｂと軸線２５との角度Ｂは、好ましくは約７５度〜約１１０度とする。
【００２３】
図５に示すように、該板状部３は、一例として前端縁１１及び後端縁１３ｂ又は１３ｃと交差する側端縁２１を備えさせる。側端縁２１の形状は、例えば、略直線状、軸線２５の方に膨らむ略円弧状、軸線２５と反対の方に膨らむ略円弧状などが挙げられる。好ましくは、側端縁２１は板状部３の一方の側部とする。
【００２４】
図２、４、５に示すように、板状部３の前端縁１１、後端縁１３ａ、１３ｂ、側端縁２１には複数の凸状体１５ａ、１５ｂ、１５ｃ、１５ｄを備えさせる。該凸状体１５ａ、１５ｂ、１５ｃ、１５ｄの形状は特に限定はなく、例えば、波型、略三角形、略矩形、略半円、略半楕円などが挙げられる。該凸状体１５ａと１５ｂと１５ｃと１５ｄの形状は全て同じでもよく、それぞれ異なる形状でもよい。好ましくは、前端縁１１の凸状体１５ａは、波型、略楕円、略半楕円などが挙げられ、後端縁１３の凸状体１５ｂ、１５ｃ、１５ｄの凸状体は、略三角形、略矩形などが挙げられる。また、一例として、各凸状体１５ａの間に凹部３７を設けることができる（図４参照）。
【００２５】
図６に示すように、板状部３の側端縁２１には、一例として、側端縁２１から離れるように熊手状に延伸させた複数の突出部３９を備える。該熊手状に延伸させた複数の突出部３９は平板上とし、該突出部３９の先端４１は略半円状又は略半楕円状とする。突出部の数は、一例として約２個〜約１０個とする。
【００２６】
図７、８に示すように、一例として、板状部３の接地面側であって支持部７の近傍に除草板５３を備える。該板状部３と該除草板５３との間には間隙５１を有し、該除草板５３の外周は凸状体４３を有する。間隙５１のサイズは特に限定はないが、一例として約０．５ｍｍ〜約１０ｍｍとし、好ましくは約１ｍｍ〜約５ｍｍとする。凸状体４３の形状は、特に限定はなく、例えば、波型、略三角形、略矩形、略半円、略半楕円などが挙げられる。
【００２７】
除草板５３は、一例として、板状体３に着脱自在に備えさせることができる。着脱自在に備えさせる手段は特に限定はないが、例えば図８に示すように、板状体９と除草板５３とをボルト４５と蝶ナット４７を用いて着脱自在に固定するときに、除草板５３と板状体９との間にワッシャー４９を挟むことにより、除草板５３と板状体３との間の間隙５１を備えさせるなどする。この手段によれば、蝶ナットを指で操作することにより、簡単に除草板５３を板状３に着脱自在とすることができる。この場合、ボルトの頭部の形状は好ましくは半円状とする。除草板５３と板状体９との間に挟むものは、ワッシャー以外に通常使用するオーリング、ライナーなどを用いることもできる。そして、ワッシャー等の枚数を調整することにより、間隙５１を所望のサイズにすることができる。
【００２８】
図９に示すように、一例として、前記除草板５３は該板状体３の側端縁２１から離れるように熊手状に延伸させた複数の突出部３９を備える。該熊手状に延伸させた複数の突出部３９は平板上とし、該突出部３９の先端４１を略半円状又は略半楕円状とする。突出部の数は、一例として約２個〜約１０個とする。
【００２９】
本発明の除草器具１は、把持部５を把持し、板状部３を雑草等が生えている地面等に接地させて前後、左右、略円弧状等に動かすことにより、板状部３の隣接する凸状体（１５ａ〜ｄ）の間に雑草の根本が引っかかり、雑草を根ごと引き抜くものである。板状部３は、その前端縁１１、後端縁１３、側端縁２１のいずれにも凸状体１５を備えることから、板状部３を前方に動かした際には前端縁１１の隣接する凸状体１５ａの間に雑草の根本が引っかかり、後方に動かした際には後端縁１３の隣接する凸状体１５ｂ又は１５ｃの間に雑草の根本が引っかかり、左右に動かした際には側端縁２１隣接する凸状体１５ｄの間に雑草の根本が引っかかり、略円弧状に動かした際には、前端縁１１、後端縁１３、側端縁２１の隣接する凸状体（１５ａ〜ｄ）の間に雑草の根本がひっかかる。その結果、板状部３をどのような方向に動かしても雑草を引き抜くことができる。また、砂利や小石が敷き詰められた場所に生えている雑草であっても、砂利や小石の上で板状部３を前記のように動かすだけで雑草を引き抜くことができる。
【００３０】
本発明の除草器具１は、膝当てを装着して膝を地面につけたり、キャスター付きの椅子などに腰かけたりして、本発明の除草器具１を片手に持って使用することにより長時間の除草作業が可能となる。また、把持部５の長さを調整することにより、手元から６０ｃｍ程度先の草を除草することができる。
【００３１】
一例として、除草器具１の支持部７を撓ませることにより、地面に凹凸があった場合であっても、板状体３を地面に接地しやすくすることができ、除草しやすくなる。
【００３２】
本発明の除草器具１の把持部５を把持したときに、支持部７を板状部３の中央より右側に固着し、後端縁１３ａの長さを後端縁１３ｂの長さより長くすることにより、利き手が右手の人が使用しやすくなる（図２、５参照）。反対に、支持部７を板状部３の中央より左側に固着し、後端縁１３ｂの長さを後端縁１３ａの長さより長くすることにより、利き手が左手の人が使用しやすくなる。支持部７を板状部３の略中央に固着し、後端縁１３ａの長さと後端縁１３ｂの長さをほぼ等しくすれば（図４参照）、利き手が右手であっても左手であっても使用しやすいものとなる。
【００３３】
好ましくは、板状部３には、前端縁１１と後端縁１３が鋭角に交わる先端部３３を備えさせる（図２、５参照）ことにより、板状部３を左右に動かす場合、先端部３３が雑草の根本に入り、除草作業がしやすくなる。
【００３４】
板状部３の側端縁２１に備える熊手状の突出部３９は、除草した草を集めたり、除草した草を篩って根に付いた土を落としたりするために使用することができる。
【００３５】
図８、９に示すように、板状部３の下面に除草板５３を備えさせることにより、小さな雑草を除草板５３の凸状体４３にひっかかって除草することができる。除草板５３を備える除草器具１において、把持部５を長くすることにより、高齢者や車いすを利用する人が除草作業をすることができるものとなり、草花に関心があって庭の小さな雑草が気になる人が、日常的に自ら除草作業をすることできる。また、視覚、手先の感覚を取り戻すためのリハビリにも有効である。
【００３６】
本発明の除草器具１のその他の特徴は以下のとおりである。板状部３は刃を備えていないので、板状部３に引っ掛けて手足や衣類を切る心配がなく、安全性を備える。植木の根本の小枝や植木に絡んだ草のつるなどを後端縁１３の凸部１５ｂ、１５ｃに引っかけて取り除くことができるなど、鎌のような役割を担うことのもでき、万能性を備える。砂利が敷いてある場所での除草にも適する。芝の撤去の際、便利である。除草した草と根がばらけがすくなく片づけに苦労しない。
【符号の説明】
【００３７】
１  除草器具
３  板状部
５  把持部
７  支持部
１１  前端縁
１３ａ  後端縁
１３ｂ  後端縁
１３ｃ  後端縁
１５ａ  凸状体
１５ｂ  凸状体
１５ｃ  凸状体
１５ｄ  凸状体
１７  一端
１９  他端
２１  側端縁
２３  ボルト
２５  把持部５の軸線
２７ａ  把持部５の軸線と平行な線
２７ｂ  把持部５の軸線と平行な線
２９  後端縁１３の延長線
３１ａ  接線
３１ｂ  接線
３３  先端部
３５  接地面
３７  凹部
３９  突出部
４１  先端
４３  凸状体
４５  ボルト
４７  蝶ナット
４９  ワッシャー
５１  間隙
５３  除草板
Ａ〜Ｄ  角度
【図１】
2020068655.tif 000003
【図２】
2020068655.tif 000004
【図３】
2020068655.tif 000005
【図４】
2020068655.tif 000006
【図５】
2020068655.tif 000007
【図６】
2020068655.tif 000008
【図７】
2020068655.tif 000009
【図８】
2020068655.tif 000010
【図９】
2020068655.tif 000011